(57)【要約】【課題】術者の手を煩わせることなく、また、患者に苦痛を与えることなく患者の頭を安頭台にフィットさせることができるようにした歯科用安頭台を提供する。【解決手段】安頭台本体２０と、該安頭台本体２０の後方に配置され、該安頭台本体２０を支持する安頭台受け部材３０とから成る。安頭台本体２０内は圧縮空気で満され、少なくとも、その前面が柔軟部材で形成されており、患者Ｋが頭を載せた時の荷重分布により、図１（Ａ）に示す状態になったり、図１（Ｂ）に示す状態になったりし、患者Ｋの姿勢に応じて、自動的に、患者の頭にフィットする。【選択図】図１
2007130396.tif 000002
【特許請求の範囲】
【請求項１】
安頭台本体と、該安頭台本体の後方に配置され、該安頭台本体を支持する安頭台本体受け部材とから成り、前記安頭台本体内は圧縮空気で満され、少なくとも、その前面が柔軟部材で形成され変形可能であることを特徴とする歯科用安頭台。
【請求項２】
前記安頭台本体内の圧縮空気の量は調節可能であることを特徴とする請求項１に記載の歯科用安頭台。
【請求項３】
前記安頭台本体が上下２個の安頭台本体からなり、かつ、両者が空気通路にて連通されており、内部の空気が前記空気通路を通して移動可能であることを特徴とする請求項１に記載の歯科用安頭台。
【請求項４】
前記空気通路は、上方の安頭台本体から下方の安頭台本体へ空気を流す第１の空気通路と、下方の安頭台本体から上方の安頭台本体へ空気を流す第２の空気通路と、これら空気通路の一方を開とし、他方を閉とする切換弁を有することを特徴とする請求項３に記載の歯科用安頭台。
【請求項５】
前記切換弁は電磁弁であることを特徴とする請求項４に記載の歯科用安頭台。
【請求項６】
前記安頭台本体は、上下２個の安頭台本体からなり、これら上下２個の安頭台本体がそれぞれ独立して内部の圧縮空気の量を調節可能であることを特徴とする請求項１に記載の歯科用安頭台。
【請求項７】
前記安頭台本体の左右両側に更に圧縮空気が入った安頭台本体を有することを特徴とする請求項１乃至６のいずれかに記載の歯科用安頭台。
【請求項８】
前記左右の安頭台本体は、空気通路を通して連通していることを特徴とする請求項７に記載の歯科用安頭台。
【請求項９】
前記左右の安頭台本体は、相互に独立して、内部の圧縮空気の量を調整可能であることを特徴とする請求項７に記載の歯科用安頭台。
【請求項１０】
前記上下の安頭台本体及び左右の安頭台本体が全て空気通路を通して連通していることを特徴とする請求項４又は９に記載の歯科用安頭台。
【発明の詳細な説明】
【技術分野】
【０００１】
本発明は、歯科治療に当り、患者が頭を載せる安頭台に係り、より詳細には、できるだけ術者の手を煩わすことなく、かつ、患者にも負担をかけることなく、患者にフィットするようにした歯科用安頭台に関する。
【背景技術】
【０００２】
図６は、本発明が適用される歯科治療ユニットの一例を示す全体構成図で、該歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にして治療を行う。
【０００３】
図７は、本発明が適用される歯科用安頭台の一例を説明するための要部概略構成図で、図中、１０は安頭台本体、１１は該安頭台本体１０を回動自在に支持する安頭台本体支持部材、１２は安頭台本体１０（安頭台本体支持部材１１）を上下方向に高さ位置調節をする摺動杆、Ｋは患者、Ｄは術者で、歯科治療に当り、患者Ｋは、椅子１に座り、頭を安頭台本体１０に載せて頭を安定させた状態で歯科治療を受ける。図７（Ａ）は、患者Ｋが治療椅子に対して傾斜して座っている時の安頭台本体１０と患者Ｋの頭との関係を示す図、図７（Ｂ）は、患者が治療椅子に対して直立して座っている時の安頭台本体１０と患者Ｋの頭との関係を示す図である。
【０００４】
図７に示すように、術者Ｄは、患者Ｋの治療姿勢に応じて、安頭台本体１０の角度を矢印Ａ方向に変えて患者Ｋの頭が安頭台本体１０にフィットするように調整しているが、その操作は、術者Ｄが手動で行っており、それが術者に対して負担になっており、同時に、操作時に患者は頭を前後に大きく移動する必要があり、特に、お年寄りには首に力を入れるのが苦痛であり、それが患者に対する負担となっていた。
【発明の開示】
【発明が解決しようとする課題】
【０００５】
本発明は、上述のごとき実情に鑑みてなされたもので、特に、歯科用安頭台において、術者の手を煩わせることなく、また、患者に苦痛を与えることなく、患者の頭を安頭台にフィットさせることができるようにした歯科用安頭台を提供することを目的としてなされたものである。
【課題を解決するための手段】
【０００６】
請求項１の発明は、安頭台本体と、該安頭台本体の後方に配置され、該安頭台本体を支持する安頭台本体受け部材とから成り、前記安頭台本体内は圧縮空気で満され、少なくとも、その前面が柔軟部材で形成され変形可能であることを特徴としたものである。
【０００７】
請求項２の発明は、請求項１の発明において、前記安頭台本体内の圧縮空気の量は調節可能であることを特徴としたものである。
【０００８】
請求項３の発明は、請求項１の発明において、前記安頭台本体が上下２個の安頭台本体からなり、かつ、両者が空気通路にて連通されており、内部の空気が前記空気通路を通して移動可能であることを特徴としたものである。
【０００９】
請求項４の発明は、請求項３の発明において、前記空気通路は、上方の安頭台本体から下方の安頭台本体へ空気を流す第１の空気通路と、下方の安頭台本体から上方の安頭台本体へ空気を流す第２の空気通路と、これら空気通路の一方を開とし、他方を閉とする切換弁を有することを特徴としたものである。
【００１０】
請求項５の発明は、請求項４の発明において、前記切換弁は電磁弁であることを特徴としたものである。
【００１１】
請求項６の発明は、請求項１の発明において、前記安頭台本体は、上下２個の安頭台本体からなり、これら上下２個の安頭台本体がそれぞれ独立して内部の圧縮空気の量を調節可能であることを特徴としたものである。
【００１２】
請求項７の発明は、請求項１乃至６のいずれかの発明において、前記安頭台本体の左右両側に更に圧縮空気が入った安頭台本体を有することを特徴としたものである。
【００１３】
請求項８の発明は、請求項７の発明において、前記左右の安頭台本体は、空気通路を通して連通していることを特徴としたものである。
【００１４】
請求項９の発明は、請求項７の発明において、前記左右の安頭台本体は、相互に独立して、内部の圧縮空気の量を調整可能であることを特徴としたものである。
【００１５】
請求項１０の発明は、請求項４又は９の発明において、前記上下の安頭台本体及び左右の安頭台本体が全て空気通路を通して連通していることを特徴としたものである。
【発明の効果】
【００１６】
本発明によると、安頭台本体は圧縮空気が封入され、少なくとも、患者の頭が載る前面側の面が柔軟性の部材で構成されているので、患者が安頭台に頭を載せた時に、その加重分布に従って安頭台本体の表面側が自動的に変形して頭を支えるので、術者が手を加えて調節するような負担はなく、また、患者も頭の移動を強制されることなく、ごく自然に安頭台に頭がフィットされるので、首に力を入れる必要もなく、術者に対しても、患者に対しても、負担なく楽に歯科治療を行うことができる。
【発明を実施するための最良の形態】
【００１７】
図１は、本発明による安頭台の一実施例を説明するための要部概略構成図で、図中、２０は圧縮空気が封入された袋状の安頭台本体で、この安頭台本体２０は、図７に示した安頭台本体１０に代るものである。この安頭台本体２０は、それ自体では、患者の頭を支えることはできないので、図７に示した安頭台支持部材１１に代る安頭台本体受け部材３０を設け、この受け部材３０の上に載置するようにしている。従って、この安頭台本体２０は、受け部材３０に対して独立して存在するものでもなく、また、この受け部材３０に対して回動するものでもない。この安頭台本体２０は、少なくとも、頭を載せる側の面が柔軟性の部材で構成されており、歯科治療に当って、患者が頭を載せた時に、その頭を載せた時の荷重分布に従って変形し、図１（Ａ）或いは図１（Ｂ）に示すように、患者の頭にフィットする。この安頭台本体２０内の圧縮空気は、予め密閉された一定圧の圧縮空気でもよいが、圧力調整を可能にしておき、患者の頭の重さ、患者の好み等に応じて任意の圧力に調整できるようにしておいてもよい。
【００１８】
図２は、本発明の他の実施例を説明するための要部概略構成図で、この実施例は、前述の安頭台本体２０を２つの安頭台本体２０1，２０2で構成し、これらを上下に配設して空気通路２１で連通したものであるが、このようにしておけば、例えば、図２（Ａ）に示すように、上部の安頭台２０1に荷重が大きくかかる時は、上部の安頭台本体２０1がその圧力に応じて萎み、その分、下部の安頭台本体２０2が膨らみ、荷重が頭部のほぼ全域にわたって均等にかかり、患者の頭部を安定に保持する。逆に、図２（Ｂ）に示すように、下側の安頭台本体２０2に大きな荷重がかかる時は、下側の安頭台本体２０2が萎み、上側の安頭台本体２０1が膨らみ、患者の頭を安定に保持する。
【００１９】
図３は、上側の安頭台本体２０1と下側の安頭台本体２０2を２本の空気通路２１1，２１2で連通し、各空気通路２１1，２１2にそれぞれ逆方向に作用する逆止弁２２1，２２2を設けるとともに、切換弁２３を設けておき、例えば、常態では、図３（Ａ）に示す状態（上側の安頭台本体２０1と下側の安頭台本体２０2が同じ圧力）にしておき、患者を図３（Ｂ）に示す姿勢にする時は、切換弁２３によって、空気通路２１1側を開いて、上側の安頭台２０1内の空気通路２１1を開き、患者が安頭台本体に頭を載せた時に、上側の安頭台本体２０1側の空気が下側の安頭台本体２０2側に流れて、上側の安頭台本体２０1が萎み、下側の安頭台本体２０2が膨らむようにする。逆に、患者を図２（Ｂ）に示した姿勢にする時は、例えば、図３（Ｃ）に示す構成の切換弁２３を切り換えて、空気通路２１1を閉じ、２１2を開くと、下側の安頭台本体２０2内の空気が上側の安頭台本体２０1に流れ、下側の安頭台本体２０2が萎み、上側の安頭台本体２０1が膨らみ、図２（Ｂ）に示した状態にすることができる。
【００２０】
図４は、本発明の他の実施例を説明するための要部構成図で、この実施例は、上側の安頭台本体２０1と下側の安頭台本体２０2とを２本の空気通路２１1，２１2で連結するとともに、これら空気通路２１1，２１2に、図３に示した切換弁２３に代る電磁弁２４を設け、これら空気通路２１1，２１2を電磁弁２４によって遠隔操作によって切換えるようにしたものである。
【００２１】
なお、以上には、上下２つの安頭台本体２０1，２０2内に一定圧力に空気を封入しておき、これらを空気通路２１又は２１1，２１2によって連通するようにした例を示したが、それぞれ独立して圧力調整可能にしておけば、例えば、図２（Ａ）に示す状態にする時は、上側の安頭台本体２０1の空気圧を下げて、該上側の安頭台本体２０1を萎ませ、下側の安頭台本体２０2の空気圧を上げて該上側の安頭台本体２０2を膨らませ、図２（Ｂ）の状態にする時は、その逆に、上側の安頭台本体２０1を膨らませ、下側の安頭台本体２０2を萎ませるとよい。
【００２２】
図５は、本発明の他の実施例を説明するための要部概略構成図で、図５（Ａ）は本発明による安頭台を前方より見た正面図、図５（Ｂ）は上方より見た平面図で、この実施例は、上下の安頭台本体２０1，２０2に加えて、左右の安頭台本体２０3，２０4を設けたものである。これらの左右の安頭台本体２０3，２０4も前述の上下の安頭台本体と全く同様にして機能させることができ、これによって、患者の左右の姿勢に対しても安頭台をフィットさせることができる。
【００２３】
以上には、安頭台本体内に予め圧縮空気を封入しておき、患者が安頭台本体に頭を載せた時の圧力分布に応じて該安頭台本体内の空気が移動して、患者の頭が安頭台本体にフィットするようにした例を示したが、各安頭台本体２０1〜２０4にそれぞれ独立して空気を供給可能とし、かつ、その圧力調整を可能にしておくことにより、安頭台本体２０1〜２０4の膨らみ具合或いは萎み具合を調整し、患者の頭の姿勢を、安頭台本体の膨らみ具合或いは萎み具合を調整することによってきめ細かに決めるようにすることも可能である。
【図面の簡単な説明】
【００２４】
【図１】本発明による歯科用安頭台の一実施例を説明するための要部概略構成図である。
【図２】本発明による歯科用安頭台の他の実施例を説明するための要部概略構成図である。
【図３】本発明による歯科用安頭台の他の実施例を説明するための要部概略構成図である。
【図４】本発明による歯科用安頭台の他の実施例を説明するための要部概略構成図である。
【図５】本発明による歯科用安頭台の他の実施例を説明するための要部概略構成図である。
【図６】本発明が適用される安頭台を備えた歯科用ユニットの一例を説明するための図である。
【図７】従来の歯科用安頭台の構成を説明するための図である。
【符号の説明】
【００２５】
９…安頭台、２０，２０1〜２０4…安頭台本体、２１，２１1，２１2…空気通路、２２1，２２2…逆止弁、２３…切換弁、２４…電磁弁、３０…安頭台本体受け部材。
【図１】
2007130396.tif 000003
【図２】
2007130396.tif 000004
【図３】
2007130396.tif 000005
【図４】
2007130396.tif 000006
【図５】
2007130396.tif 000007
【図６】
2007130396.tif 000008
【図７】
2007130396.tif 000009